【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
ディスペンスアセンブリであって、
内部チャンバを画定する複数の外部パネルを含む容器と、
前記内部チャンバ内に収容される物品ディスペンス要素とを備え、
前記複数の外部パネルは、複数の物品を通過させてディスペンスすることができるように構成された開口部を有する頂部パネルを少なくとも含み、
前記物品ディスペンス要素は、複数の物品を受容することができる物品保管領域が形成されるように前記容器の前記頂部パネルに対して配置されたベースパネルを含み、
前記ベースパネルは、前記頂部パネルに固定された１または複数のフレキシブル部材によって前記容器の前記頂部パネルに向けて付勢され、各物品が前記開口部からディスペンスされるにしたがって前記頂部パネルに向かって変位することを特徴とするディスペンスアセンブリ。
【請求項２】
前記１または複数のフレキシブル部材は、接着剤、テープ、またはクランプのうちの少なくとも１つによって、前記頂部パネルに直接的に固定されることを特徴とする請求項１に記載のディスペンスアセンブリ。
【請求項３】
前記ベースパネルは、１または複数の丸みを帯びた角部を有することを特徴とする請求項１または２に記載のディスペンスアセンブリ。
【請求項４】
前記１または複数のフレキシブル部材は、少なくとも１つの支持パネルによって前記頂部パネルに固定されることを特徴とする請求項１ないし３のいずれかに記載のディスペンスアセンブリ。
【請求項５】
前記支持パネルは、前記容器の前記頂部パネルの前記開口部と整列するように構成された連通開口部を有することを特徴とする請求項４に記載のディスペンスアセンブリ。
【請求項６】
前記少なくとも１つの支持パネルは、前記１または複数のフレキシブル部材のうちの１つを受容することができるように構成された少なくとも１つの溝部を有することを特徴とする請求項４に記載のディスペンスアセンブリ。
【請求項７】
前記１または複数のフレキシブル部材は、第１のフレキシブル部材と第２のフレキシブル部材とを含み、
前記少なくとも１つの支持パネルは、前記容器の前記頂部パネルの前記開口部を挟んで互いに離間して配置された第１の支持パネルと第２の支持パネルとを含み、
前記第１のフレキシブル部材は、前記第１の支持パネルによって前記容器の前記頂部に固定され、
前記第２のフレキシブル部材は、前記第２の支持パネルによって前記容器の前記頂部に固定されることを特徴とする請求項４に記載のディスペンスアセンブリ。
【請求項８】
前記少なくとも１つの支持パネルは、接着剤、テープ、またはクランプのうちの少なくとも１つによって、前記容器の前記頂部パネルに固定されることを特徴とする請求項４に記載のディスペンスアセンブリ。
【請求項９】
前記ベースパネルは、前記１または複数のフレキシブル部材のうちの１つを受容することができるように構成された１または複数のノッチ部を有することを特徴とする請求項１ないし８のいずれかに記載のディスペンスアセンブリ。
【請求項１０】
前記ベースパネルの前記１または複数のノッチ部は、第１の組のノッチ部と第２の組のノッチ部とを含み、
前記少なくとも１つの支持パネルは、前記１または複数のフレキシブル部材のうちの１つを受容することができるように構成された第１の溝部を有する第１の支持パネルと、前記１または複数のフレキシブル部材のうちの１つを受容することができるように構成された第２の溝部を有する第２の支持パネルとを含み、
前記第１の組のノッチ部は、前記第１の支持パネルの前記第１の溝部と整列し、
前記第２の組のノッチ部は、前記第２の支持パネルの前記第２の溝部と整列するように構成されていることを特徴とする請求項９に記載のディスペンスアセンブリ。
【請求項１１】
前記ベースパネルは、それの互いに対向する側部に形成された、互いに対向する凹部をさらに有することを特徴とする請求項１ないし１０のいずれかに記載のディスペンスアセンブリ。
【請求項１２】
前記物品保管領域は、開放された側部を有することを特徴とする請求項１ないし１１のいずれかに記載のディスペンスアセンブリ。
【請求項１３】
前記１または複数のフレキシブル部材は、前記物品ディスペンス要素の周りを取り囲むように構成された弾性バンドを含むことを特徴とする請求項１ないし１２のいずれかに記載のディスペンスアセンブリ。
【請求項１４】
前記複数の外部パネルのうちの少なくとも１つは、それに隣接する外部パネルに形成された１または複数の固定スロット内に挿入して嵌合させることができるように構成された１または複数の固定フラップを有することを特徴とする請求項１ないし１３のいずれかに記載のディスペンスアセンブリ。
【請求項１５】
前記容器の前記複数の外部パネルは、底部パネルと、互いに対向する側部パネルと、互いに対向する端部パネルとをさらに含み、
前記互いに対向する側部パネルの少なくとも一方、または互いに対向する前記端部パネルの少なくとも一方は、前記物品ディスペンス要素を挿入することができるように、開けることができるように構成されていることを特徴とする請求項１ないし１４のいずれかに記載のディスペンスアセンブリ。
【請求項１６】
前記物品は、手袋、フェイスマスク、紙製品、またはダスト用ミットのうちの少なくとも１つを含むことを特徴とする請求項１ないし１５のいずれかに記載のディスペンスアセンブリ。
【請求項１７】
物品のパッケージであって、
請求項１ないし１６のいずれかに記載の容器と、
前記物品保管領域内に収容される複数の物品とを含み、
各物品が前記容器の前記開口部からディスペンスされるにしたがって、前記複数の物品が前記容器の前記頂部パネルに向けて付勢されるように構成したことを特徴とする物品のパッケージ。
【請求項１８】
ディスペンスアセンブリを製造する方法であって、
複数の物品を通過させてディスペンスすることができるように構成された開口部を有する頂部パネルを少なくとも含み、折り畳まれたときに内部チャンバを画定する複数の外部パネルから構成された、折り畳まれていない状態の容器を用意するステップと、
１または複数のフレキシブル部材を前記折り畳まれていない状態の容器の前記頂部パネルに固定するステップと、
物品保管領域を画定するべく、前記フレキシブル部材をベースパネルに固定するステップと、
前記頂部パネルに固定された前記フレキシブル部材によって前記容器の前記頂部パネルに向けて付勢され、各物品が前記開口部からディスペンスされるにしたがって前記頂部パネルに向かって変位するベースパネルにより画定された前記物品保管領域内に、複数の物品を配置するステップと、
前記ディスペンスアセンブリを形成するべく、前記折り畳まれていない状態の容器の前記外部パネルを前記物品保管領域の周りに折り畳むステップと
を有することを特徴とする方法。
【請求項１９】
前記フレキシブル部材を前記折り畳まれていない状態の容器の前記頂部パネルに固定する前記ステップは、
前記フレキシブル部材を、接着剤、テープ、またはクランプのうちの少なくとも１つによって、前記容器の前記頂部パネルに直接的に固定するステップを含むことを特徴とする請求項１８に記載の方法。
【請求項２０】
前記フレキシブル部材を前記折り畳まれていない状態の容器の前記頂部パネルに固定する前記ステップは、
少なくとも１つの支持パネルを前記容器の前記頂部パネルに固定するステップと、
前記フレキシブル部材を前記少なくとも１つの支持パネルと前記容器の前記頂部パネルとの間に配置するステップと
をさらに含むことを特徴とする請求項１８または１９に記載の方法。